(57)【特許請求の範囲】
【請求項１】
第１波長帯の光を透過させる平板状の第１バンドパスフィルタおよび前記第１バンドパスフィルタを透過した光を受光できるように配置した第１受光素子を有する第１受光モジュールと、前記第１波長帯より長波長側の第２波長帯の光を透過させる平板状の第２バンドパスフィルタおよび前記第２バンドパスフィルタを透過した光を受光できるように配置した第２受光素子を有する第２受光モジュールとを備え、前記第１受光モジュールおよび前記第２受光モジュールは、前記第１受光素子および前記第２受光素子の受光方向の中心線が平行的になるように間隔を空けて配置してある受光ユニットにおいて、
前記第２バンドパスフィルタは、前記第１受光モジュール側の一端部が反対側の他端部に比べて前記第２受光素子に近づくように傾斜した状態で配置してあることを特徴とする受光ユニット。
【請求項２】
傾斜した状態で配置された前記第２バンドパスフィルタは、前記第２受光素子の受光方向の中心線に沿った方向での透過波長帯が、前記第２受光素子が受光を想定している波長帯を含むような角度で傾斜してある請求項１に記載の受光ユニット。
【請求項３】
２種類の波長帯の光をそれぞれ受光可能とした受光ユニットを具備するテレビジョン装置において、
前記受光ユニットは、請求項１又は請求項２に記載の受光ユニットであることを特徴とするテレビジョン装置。
【請求項４】
２種類の波長帯の光をそれぞれ受光可能とした受光ユニットを具備する電気機器において、
前記受光ユニットは、請求項１又は請求項２に記載の受光ユニットであることを特徴とする電気機器。
【発明の詳細な説明】
【技術分野】
【０００１】
本発明は、計２個の受光モジュールを設けて２種類の波長帯の光をそれぞれ受光可能とした受光ユニットに関し、特に、短波長帯の光が長波長帯に応じた受光モジュールで受光されないようにして、各受光モジュールでそれぞれ対応する波長帯の光を確実に受光できるようにした受光ユニット、及びそのような受光ユニットを具備するテレビジョン装置、電気機器に関する。
【背景技術】
【０００２】
昨今、規格が異なる２種類の波長帯の赤外光（赤外線）を受光するため、計２個の受光モジュールを含む受光ユニットを具備したテレビジョン装置および録画装置などの電気機器が存在する。
【０００３】
例えば、録画装置の中には、デジタルカメラまたはカメラ機能付き携帯電話機等の撮像画像データの送信用の赤外線通信（例えば、ＩｒＤＡ（Infrared Data Association）の通信規格に基づくもの）に対応した受光モジュールと、録画装置のリモートコントロール装置（以下、リモコン装置と称す）によるリモコン操作データ用の赤外線通信に対応した受光モジュールとを設けたものがある。
【０００４】
ＩｒＤＡ用の赤外線通信に用いられる赤外線には、約８５０ｎｍ〜約９００ｎｍの波長帯が通常使用されており、リモコン操作データの赤外線通信に用いられる赤外線の波長帯は、各メーカにより独自に規定される場合が多いが一般に、上述したＩｒＤＡ用の波長帯より長波長（例えば、約９５０ｎｍ）が用いられることが多い。
【０００５】
よって、ＩｒＤＡ通信が可能な送信側の電気機器（デジタルカメラまたは撮影機能付き携帯電話など）に設けられる発信部には、上述した約８５０ｎｍ〜約９００ｎｍの波長の赤外線を発する発光素子が設けられると共に、受信側の電気機器に設けられる受光モジュールには、約８５０ｎｍ〜約９００ｎｍの波長範囲の光を透過させるバンドパスフィルタが受光素子の前方に配置されている。同様に、リモコン装置に設けられる発信部は、上述した約９５０ｎｍの波長の赤外線を発する仕様になっていると共に、受信側の電気機器に設けられる受光モジュールには、約９５０ｎｍを中心とした波長範囲の光を透過させるバンドパスフィルタが用いられる。
【０００６】
このような２個の受光モジュールを含む受光ユニットを具備した電気機器は、それぞれの受光モジュールにおけるバンドパスフィルタの透過波長帯が異なるので、リモコン装置用の受光モジュールでは、ＩｒＤＡ用の赤外線がバンドパスフィルタで遮られ、ＩｒＤＡ用の赤外線による誤作動の発生等を防止している。
【０００７】
なお、バンドパスフィルタは一般に、直交的に入射される光に対しては、所定のバンドパス特性（透過波長帯に含まれる波長の光を透過させ、それ以外の波長の光を遮る特性）を維持するが、斜め方向から入射される光に対しては、透過させる波長帯が低波長側へシフトする特性がある。そのため、下記の特許文献１では、狭い窓の開いた遮光板を用いることで、斜め方向からの入射角度範囲を制限する構造が開示されている。
【特許文献１】特開２００２−１７５７２０号公報
【発明の開示】
【発明が解決しようとする課題】
【０００８】
ＩｒＤＡ用とリモコン装置用の２種類の受光モジュールを含む受光ユニットを具備する電気機器において、リモコン装置用の受光モジュールへＩｒＤＡ用の赤外光が斜めから入射されると、バンドパスフィルタの斜めからの入射光に対して透過波長帯が低波長側へシフトする特性により、リモコン装置用より低波長のＩｒＤＡ用の赤外光がリモコン装置用のバンドパスフィルタを透過して干渉すると云う問題がある。
【０００９】
すなわち、丁度、各受光モジュールに対向する位置から直交的に光が入射されるように、光が発せられれば、透過波長帯に含まれない光はそれぞれのバンドパスフィルタで遮られる。しかし、各受光モジュールに対して斜めの方向から光が発せられると、ＩｒＤＡ用の光は、リモコン装置用の光のより波長が短いため、斜めからの入射によりバンドパスフィルタの透過波長が短波長側へシフトすることで、上述した問題が起こり得る。そのため、ユーザは、ＩｒＤＡで赤外線通信を行う場合、ＩｒＤＡの送信側の機器をＩｒＤＡ用の受光モジュールの方へ確実に向ける必要があり、ユーザの操作負担が大きくなる。
【００１０】
なお、特許文献１に係る構造は、入射可能な角度範囲を制限するため、本来、受光を想定している対象に対しても受光可能な角度範囲を狭めてしまうので、例えば、リモコン装置の可能な角度範囲が狭くなり、リモコン装置による遠隔操作性が妨げられる。
【００１１】
本発明は、斯かる問題に鑑みてなされたものであり、２種類の受光モジュールを平行的に設けた受光ユニットに対して、長波長側の受光モジュールが含むバンドパスフィルタの配置および形状等を工夫することで、相互の受光モジュールの干渉を抑えて各受光モジュールで確実に受光を行えるようにした受光ユニットを提供することを目的とする。
【課題を解決するための手段】
【００１２】
上記課題を解決するために本発明に係る受光ユニットは、第１波長帯の光を透過させる平板状の第１バンドパスフィルタおよび前記第１バンドパスフィルタを透過した光を受光できるように配置した第１受光素子を有する第１受光モジュールと、前記第１波長帯より長波長側の第２波長帯の光を透過させる平板状の第２バンドパスフィルタおよび前記第２バンドパスフィルタを透過した光を受光できるように配置した第２受光素子を有する第２受光モジュールとを備え、前記第１受光モジュールおよび前記第２受光モジュールは、前記第１受光素子および前記第２受光素子の受光方向の中心線が平行的になるように間隔を空けて配置してある受光ユニットにおいて、前記第２バンドパスフィルタは、前記第１受光モジュール側の一端部が反対側の他端部に比べて前記第２受光素子に近づくように傾斜した状態で配置してあることを特徴とする。
【００１３】
本発明にあっては、長波長側の第２バンドパスフィルタを、第１受光モジュール側の一端部が第２受光素子へ近づくように傾斜させたので、たとえ、第１受光モジュールに対向する箇所から第２受光モジュールへ向けて光が発せられても、第２受光モジュールの第２バンドパスフィルタは傾斜しているため、その光は第２バンドパスフィルタへ直交的に入射することになる。そのため、このような入射に対しては、第２バンドパスフィルタの透過波長帯が短波長側へシフトすることが無くなり、本来のバンドパス特性を維持できる。そのため、第１受光モジュールに対向する箇所から第１受光モジュールに対応した波長の光（第２受光モジュールに対応した光の波長より短波長のもの）が、第２受光モジュールへ向けて発せられても、第２バンドパスフィルタで遮ることができる。
【００１４】
また、本発明に係る受光ユニットは、傾斜した状態で配置された前記第２バンドパスフィルタは、前記第２受光素子の受光方向の中心線に沿った方向での透過波長帯が、前記第２受光素子が受光を想定している波長帯を含むような角度で傾斜してあることを特徴とする。
【００１５】
本発明にあっては、第２受光素子の受光方向の中心線に沿った方向での透過波長帯が、第２受光素子が受光を想定している波長帯に含まれるように、第２バンドパスフィルタの傾斜角度を特定するので、第２受光素子が受光を想定している波長帯の光が、第２受光モジュールに対向する箇所から発射されると、第２バンドパスフィルタへの斜め入射になって、確実に透過されて第２受光素子で受光されるようになる。そのため、第２受光モジュールでは、第２受光素子の受光方向の中心線に対して斜めから、第２受光素子が受光を想定している波長帯より短波長の光が発せられても、そのような光は相対的な位置関係で、第２バンドパスフィルタへ直交的に入射することになり遮られる。一方、第２受光素子が本来、受光を想定している波長の光が、第２受光素子の受光方向の中心線に沿って発せられれば、相対的な位置関係で第２バンドパスフィルタへ斜めに入射することになるが、そのような斜めの入射に対する透過波長帯が第２受光素子の受光すべき波長に合わせられているので、第２バンドパスフィルタを透過することができる。
【００１６】
それにより、第２受光素子では、受光対象となる波長の光のみを確実に受光できるようになる。なお、第１受光モジュールでは、そもそも第２バンドパスフィルタのバンドパス特性に係る波長帯より短い波長の光を透過させる第１バンドパスフィルタを用いているため、第２受光素子に応じた波長の光が第１バンドパスフィルタへ斜めに入射しても、第１バンドパスフィルタでは、斜め入射に対して透過させる光の波長を短波長側へシフトするので、第２受光素子に応じた波長の光は更に透過しにくくなり、上述した第２受光モジュールにおける問題は、そもそも生じない。
【００１７】
本発明に係る受光ユニットは、第１波長帯の光を透過させる平板状の第１バンドパスフィルタおよび前記第１バンドパスフィルタを透過した光を受光できるように配置した第１受光素子を有する第１受光モジュールと、前記第１波長帯より長波長側の第２波長帯の光を透過させる第２バンドパスフィルタおよび前記第２バンドパスフィルタを透過した光を受光できるように配置した第２受光素子を有する第２受光モジュールとを備え、前記第１受光モジュールおよび前記第２受光モジュールは、前記第１受光素子および前記第２受光素子の受光方向の中心線が平行的になるように間隔を空けて配置してある受光ユニットにおいて、前記第２バンドパスフィルタは、前記第２受光素子の受光方向の中心線に対して直交的な直交面部と、前記直交面部の前記第１受光モジュール側で前記第２受光素子を被うように傾斜した斜面部とを備えることを特徴とする。
【００１８】
本発明にあっては、長波長側の第２バンドパスフィルタが、第２受光素子を被うような斜面部を有するので、たとえ、第１受光モジュールに対向する箇所から第２受光モジュールへ向けて光が発せられても、その光は斜面部へ直交的に入射することになる。そのため、第２バンドパスフィルタの透過させる波長帯が短波長側へずれることが無くなり、そのような角度に対して本来のバンドパス特性を維持できる。また、第２バンドパスフィルタは、第２受光素子の受光方向の中心線に対して直交的な直交面部を備えるので、第２受光素子が受光を想定している波長の光は、第２受光素子の対向する箇所から発せられれば、直交面部を透過して第２受光素子で受光されるようになり、相異する波長の光の干渉を防止して、第２受光モジュールでの受光を確実に行える。
【００１９】
本発明に係る受光ユニットは、第１波長帯の光を透過させる平板状の第１バンドパスフィルタおよび前記第１バンドパスフィルタを透過した光を受光できるように配置した第１受光素子を有する第１受光モジュールと、前記第１波長帯より長波長側の第２波長帯の光を透過させる第２バンドパスフィルタおよび前記第２バンドパスフィルタを透過した光を受光できるように配置した第２受光素子を有する第２受光モジュールとを備え、前記第１受光モジュールおよび前記第２受光モジュールは、前記第１受光素子および前記第２受光素子の受光方向の中心線が平行的になるように間隔を空けて配置してある受光ユニットにおいて、前記第２バンドパスフィルタは、前記第２受光素子を被うように碗状に形成してあることを特徴とする。
【００２０】
本発明にあっては、第２バンドパスフィルタが、第２受光素子を被うような碗状で形成されているので、たとえ、第１受光モジュールに対向する箇所から第２受光モジュールへ向けて光が発せられても、その光は第２バンドパスフィルタの碗状の曲面へ直交的に入射することになる。そのため、第２バンドパスフィルタの透過させる波長帯が短波長側へシフトすることが無くなり、そのような角度に対して本来のバンドパス特性を維持できる。また、第２受光素子の対向する箇所から発せられた光も、第２バンドパスフィルタの碗状の曲面へ直交的に入射するので、第２受光素子に応じた波長の光であれば、第２バンドパスフィルタを透過して第２受光素子で確実に受光される。それにより、相異する波長の光の干渉を防止して、第２受光モジュールでの受光を確実に行えるようになる。
【００２１】
本発明に係る受光ユニットは、前記第２バンドパスフィルタが、中空球体の一部を切り取って碗状に形成してあることを特徴とする。
【００２２】
本発明にあっては、第２バンドパスフィルタが、中空球体の一部を切り取って碗状に形成してあるので、各方向からの入射が法線方向に沿ったものであれば、第２バンドパスフィルタのバンドパス特性を確実に発揮しやすくなり、遮るべき波長の光の透過を確実に防止できる。
【発明の効果】
【００２３】
本発明にあっては、長波長側の第２バンドパスフィルタを、第１受光モジュール側の一端部が第２受光素子へ近づくように傾斜させるので、第１受光モジュールに対向する箇所から第２受光モジュールへ向けて発せられた光は、第２バンドパスフィルタへ直交的に入射するため、所定のバンドパス特性を発揮でき、第２受光素子が受光を想定していない波長の光を遮ることができる。
また、本発明にあっては、第２受光素子の受光方向の中心線に沿った方向での透過波長帯が第２受光素子の受光対象の光の波長帯に含まれる角度で、第２バンドパスフィルタを傾けるので、第２受光モジュールに対向する箇所から第２受光素子が受光を想定している波長帯の光が発せられれば、確実に第２受光素子で受光できるようになり、安定した受光性能を確保できる。
【００２４】
本発明にあっては、長波長側の第２バンドパスフィルタが、第２受光素子を被うような斜面部を有するので、たとえ、第１受光モジュールに対向する箇所から第２受光モジュールへ向けて光が発せられても、その光は斜面部へ直交的に入射するため、所定のバンドパス特性を発揮でき、第２受光素子が受光を想定していない波長の光を確実に遮ることができると共に、第２受光素子の受光方向の中心線に対して直交的な直交面部を有するので、第２受光素子が受光を想定している波長の光が、第２受光素子の対向する箇所から発せられれば、確実に第２受光素子で受光でき、安定した受光特性が得られる。
【００２５】
本発明にあっては、第２バンドパスフィルタが、第２受光素子を被うような碗状で形成されているので、たとえ、第１受光モジュールに対向する箇所から第２受光モジュールへ向けて光が発せられても、その光は第２バンドパスフィルタの碗状の曲面へ直交的に入射するため、所定のバンドパス特性を発揮でき、第２受光素子が受光を想定していない波長の光を確実に遮ることができると共に、第２受光素子が受光を想定している波長の光が、第２受光素子の対向する箇所から発せられれば、その光を透過させるので、第２受光素子で受光の安定化を図れる。
また、本発明にあっては、第２バンドパスフィルタが、中空球体の一部を切り取って碗状に形成してあるので、各方向からの入射が法線方向に沿ったものであれば、第２バンドパスフィルタのバンドパス特性を確実に発揮でき、遮るべき波長の光の透過を防止できると共に、透過させるべき光をスムーズに透過させられる。
【発明を実施するための最良の形態】
【００２６】
図１は、本発明の実施形態に係る受光ユニット１５を含んだ電気機器であるテレビジョン装置１０を示している。テレビジョン装置１０は、筐体１１の前面１１ａの下方に受光ユニット１５を配置しており、受光ユニット１５は、図１でテレビジョン装置１０の筐体１１の右側部１１ｂにＩｒＤＡ用の第１受光モジュール２０を有し、左側部１１ｃにリモコン操作用の第２受光モジュール３０を有する。本実施形態では、第１受光モジュール２０は、撮影機能付き携帯電話機１から発せられるＩｒＤＡ用の赤外線（赤外光）の受光に対応したものになっており、第２受光モジュール３０はテレビジョン装置１０のリモコン装置５から発せられる赤外光の受光に対応したものになっている。
【００２７】
なお、携帯電話機１は、筐体１ａに設けた操作部２を適宜操作することで、筐体１ａの先端に設けた発信部３から、撮影した画像等のデータ（コンテンツデータ）をＩｒＤＡに応じた波長（８５０ｎｍ〜９００ｎｍの範囲の波長。例えば、約８７５ｎｍの波長）の赤外線で送信できるようになっている。また、リモコン装置５は、筐体５ａの先端に設けた発信部７から、操作部６で受け付けた操作内容に応じた遠隔操作用の操作信号を、赤外線（例えば、約９５０ｎｍの波長の赤外線）で送信できるようになっている。
【００２８】
図２は、図１に示すテレビジョン装置１０の俯瞰方向における受光ユニット１５の概略的な構成を示している。受光ユニット１５が有する第１受光モジュール２０は、モジュール内に配置した第１受光素子２１の前方に、携帯電話機１の発信部３から発せられる赤外線（第１波長帯の光に相当）を透過させるバンドパス特性を有する平板状の第１バンドパスフィルタ２２を配置し、第１バンドパスフィルタ２２を透過した光（赤外線）を第１受光素子２１で受光できるようにしている。なお、第１バンドパスフィルタ２２は、第１受光素子２１の受光方向の中心線２１ａ（テレビジョン装置１０の画面に対する垂直線に平行な線）に対して直交的な配置になっている。
【００２９】
また、受光ユニット１５が有する第２受光モジュール３０は、モジュール内に配置した第２受光素子３１の前方に、リモコン装置５の発信部７から発せられる赤外線（第１波長帯より長波長側の第２波長帯の光に相当）を透過させるバンドパス特性を有する平板状の第２バンドパスフィルタ３２を配置して、第２バンドパスフィルタ３２を透過した光（赤外線）を第２受光素子３１で受光できるようにしている。第２バンドパスフィルタ３２は、第１受光モジュール２０側の端部３２ｂが反対側の端部３２ｃに比べて第２受光素子３１に近づくように傾斜した状態で配置してあり、第２受光素子３１の受光方向の中心線３１ａと直交する線に対して角度Ｘで傾斜している。
【００３０】
なお、図２に示すように、第１受光モジュール２０および第２受光モジュール３０は、第１受光素子２１の中心線２１ａと、第２受光素子３１の中心線３１ａとが平行的になるように配置して受光ユニット１５が構成されており、受光に関する相互の干渉の影響を抑えるためには、両方の受光モジュール２０、３０の間隔は、できるだけ広く確保することが好ましい。
【００３１】
図３（ａ）〜（ｃ）は、第１受光モジュール２０が有する第１バンドパスフィルタ２２および第２受光モジュール３０が有する第２バンドパスフィルタ３２のバンドパス特性を説明するための図である。先ず、第１バンドパスフィルタ２２について説明すると、図３（ａ）に示すように、第１バンドパスフィルタ２２の表面２２ａに対して直交的に光Ｋ１が入射した場合のバンドパス特性は、図３（ｂ）の実線で示す曲線Ｌ１のようになり、約８５０ｎｍ〜約９００ｎｍの波長帯の光に対して最も透過レベルが高くなると共に、約８５０ｎｍより短波長側および約９００ｎｍより長波長側では透過レベルが低下していく。
【００３２】
また、図３（ａ）において、第１バンドパスフィルタ２２の表面２２ａへ、光Ｋ１に対して角度αで入射する光Ｋ２、Ｋ３に対するバンドパス特性は、図３（ｂ）の波線で示す曲線Ｌ２のようになる。曲線Ｌ２は、曲線Ｌ１を短波長側へ約２０ｎｍシフトした形態になっており、そのため、角度αで入射する光Ｋ２、Ｋ３に対するバンドパス特性は、約８３０ｎｍ〜約８８０ｎｍの波長帯の光に対して最も透過レベルが高くなると共に、約８３０ｎｍより短波長側および約８８０ｎｍより長波長側では透過レベルが低下する。なお、このように斜め方向の入射によりバンドパス特性が短波長側へシフトするのは、斜め入射によりバンドパスフィルタの通過距離が長くなることに起因している。
【００３３】
次に、第２バンドパスフィルタ３２について説明すると、図３（ａ）で示すように、第２バンドパスフィルタ３２の表面３２ａに対して直交的に光Ｋ１が入射した場合のバンドパス特性は、図３（ｃ）の実線で示す曲線Ｌ１１のようになり、約９７０ｎｍ〜約１０２０ｎｍの波長帯の光に対して最も透過レベルが高くなると共に、約９７０ｎｍより短波長側および約１０２０ｎｍより長波長側では透過レベルが低下していく。
【００３４】
また、図３（ａ）において、第２バンドパスフィルタ３２の表面３２ａへ、光Ｋ１に対して角度αで入射する光Ｋ２、Ｋ３に対するバンドパス特性は、図３（ｂ）の波線で示す曲線Ｌ１２のようになる。曲線Ｌ１２は、曲線Ｌ１１を短波長側へ約３０ｎｍシフトした形態になっており、そのため、角度αで入射する光Ｋ２、Ｋ３に対するバンドパス特性は、約９４０ｎｍ〜約９９０ｎｍの波長帯の光に対して最も透過レベルが高くなると共に、約９４０ｎｍより短波長側および約９９０ｎｍより長波長側では透過レベルが低下する。
【００３５】
図４（ａ）（ｂ）は、図２に示すように、第２受光モジュール３０における傾斜配置状態での第２バンドパスフィルタ３２に対するバンド特性を説明するための図である。図４（ａ）に示すように、本実施形態における第２受光モジュール３０の傾斜する角度Ｘは、図３（ａ）における光Ｋ１に対する光Ｋ２、Ｋ３の角度αと同じ数値にしてある。そのため、このように傾斜させた第２受光モジュール３０の第２受光素子３１の中心線３１ａに対するバンド特性は図４（ｂ）に示すようになる。
【００３６】
図４（ｂ）中の実線の曲線Ｌ２１は、図４（ａ）の光Ｋ１１（第２受光素子３１の中心線３１ａに沿った方向の光）に対するバンドパス特性を示し、この曲線Ｌ２１は丁度、光Ｋ１１が、第２バンドパスフィルタ３２の表面３２ａでは、表面３２ａの垂線に対して角度αで斜めに入射することになるので、図３（ｃ）の曲線Ｌ１２に一致している。また、図４（ｂ）中の波線の曲線Ｌ２２は、図４（ａ）の光Ｋ１２に対するバンドパス特性を示し、この曲線Ｌ２２は丁度、光Ｋ１２が、第２バンドパスフィルタ３２の表面３２ａに対して直交的に入射することから、図３（ｃ）の曲線Ｌ１１に一致している。そのため、第２受光モジュール３０においては、第２受光素子３１の中心線３１ａから角度αだけ斜めに入射すると、見かけ上、バンドパス特性が曲線Ｌ２１から曲線Ｌ２２へと長波長側へシフトすることになる。
【００３７】
図５（ａ）は、第１受光モジュール２０の第１受光素子２１の中心線２１ａ上の位置から、図１に示す携帯電話機１の発信部３より赤外線を発した状態を示している。先ず、第１受光モジュール２０へ向けて携帯電話機１の発信部３から赤外線（８５０ｎｍ〜９００ｎｍの範囲の波長の赤外線。例えば、約８７５ｎｍの波長の赤外線）が発せられると、第１バンドパスフィルタ２２へ直交的に入射するので、図３（ｂ）に示すバンドパス特性により、発せられた赤外線は第１受光素子２１で受光され、画像のデータ（コンテンツデータ）の送受が完了する。
【００３８】
また、仮に、携帯電話機１の発信部３が、上述した位置から、第２受光モジュール３０へ向けて赤外線を角度αで発した場合、第２受光モジュール３０の傾斜した第２バンドパスフィルタ３２では直交的に赤外線が入射することになる。この場合、第２バンドパスフィルタ３２のバンドパス特性は、図３（ｃ）の曲線Ｌ１１および図４（ｂ）の曲線Ｌ２２のようになるので、発信部３から発せられた赤外線（８５０ｎｍ〜９００ｎｍの範囲の波長の赤外線。例えば、約８７５ｎｍの波長の赤外線）は、第２バンドパスフィルタ３２のバンドパス特性（約９７０ｎｍ〜約１０２０ｎｍの波長の光を透過させる特性）に係る波長帯に含まれないため、第２バンドパスフィルタ３２で遮られ、第２受光素子３１で発信部３からの赤外線が受光されることが防止される。それにより、携帯電話機１の発信部３から発せられた赤外線が第２受光モジュール３０へ向かっても、テレビジョン装置１０が誤作動するおそれを解消できる。
【００３９】
図５（ｂ）は、第２受光モジュール３０の第２受光素子３１の中心線３１ａ上の位置から、図１に示すリモコン装置５の発信部７より赤外線を発した状態を示している。第２受光モジュール３０へ向けてリモコン装置５の発信部７から赤外線（例えば、約９５０ｎｍの波長の赤外線）が発せられると、第２バンドパスフィルタ３２へ角度αで入射するため、図４（ｂ）の曲線Ｌ２１に示すバンドパス特性（透過波長帯の中心が約９５０ｎｍ）により、発信部７からの赤外線は第２バンドパスフィルタ３２を透過して第２受光素子３１で受光される。これにより、テレビジョン装置１０はリモコン装置５で遠隔操作を行うことができ、上述したように携帯電話機１から発せられる赤外線との干渉もないため、良好な受信感度を確保できる。
【００４０】
なお、上述した位置から、リモコン装置５の発信部７が第１受光モジュール２０へ向けて赤外線を角度αで発した場合、第１受光モジュール２０の第１バンドパスフィルタ２２には角度αで赤外線が入射することになるので、図３（ｂ）の曲線Ｌ２に示すバンドパス特性により、発信部７から発せられる赤外線の波長（約９５０ｎｍ）は、曲線Ｌ２の透過波長帯より、遙かに長波長側であるため、第１バンドパスフィルタ２２で発信部７からの赤外線は遮られる。それにより、第１受光モジュール２０も良好な受信感度が確保されている。
【００４１】
なお、本発明に係る受光ユニットは、上述した形態に限定されるものではなく、複数の変形例が存在する。図６（ａ）（ｂ）は変形例の第２バンドパスフィルタ４２を示している。変形例の第２バンドパスフィルタ４２は、四角錐を底面に平行な面で切り取ったような形状であり、第２受光素子３１′の中心線（図６（ｂ）の光Ｋ２０を通る線）に対して直交的な矩形状の直交面部４２ａと、その周囲に計４個の傾斜した台形の斜面部４２ｂ〜４２ｅを設けることで、全体として末広がり形状になっている。なお、第２バンドパスフィルタ４２は、当然、下面部を有しないと共に、第２受光モジュールに配置されると、斜面部４２ｅが第１受光モジュール側に位置して、第２受光素子３１′を被うことになる。
【００４２】
変形例の第２バンドパスフィルタ４２のバンドパス特性は、図４（ｂ）の曲線Ｌ２１に示すようになっており、約９５０ｎｍを中心帯域とした透過波長帯を有する。このような第２バンドパスフィルタ４２では、図５（ｂ）に示すように、リモコン装置５の発信部７から発せられた赤外線（約９５０ｎｍの波長）が直交的に直交面部４２ａへ入射すると（図６（ｂ）に示す光Ｋ２０参照）、透過波長帯に含まれることから、発信部７からの赤外線は第２バンドパスフィルタ４２を透過して第２受光素子３１′で受光される。
【００４３】
一方、図５（ａ）に示すように、携帯電話機１の発信部３からの赤外線（８５０ｎｍ〜９００ｎｍの範囲の波長。例えば、約８７５ｎｍの波長）が、第２受光モジュールへ向けて発せられると、第２バンドパスフィルタ４２の斜面部４２ｅへ直交的に入射されるので（図６（ｂ）に示す光Ｋ２１参照）、第２バンドパスフィルタ４２のバンドパス特性により、発信部３から赤外線は遮られ、第２受光素子３１′がノイズ光を受光するような状況を防止できる。なお、変形例の第２バンドパスフィルタ４２は直交面部４２ａの周囲にわたって斜面部４２ｂ〜４２ｅを有するので、様々な方向から斜めにノイズ光（第２受光素子３１′が受光を想定していない光）が入射されても、各斜面部４２ｂ〜４２ｅでノイズ光（例えば、光Ｋ２２）を遮ることができる。なお、この変形例では、四角錐をベースとした形状で第２バンドパスフィルタ４２を形成しているが、三角錐、五画錘のような多角錘または円錐をベースにして第２バンドパスフィルタ４２を形成することも可能である。
【００４４】
図７（ａ）（ｂ）は別の変形例の第２バンドパスフィルタ５２を示している。変形例の第２バンドパスフィルタ５２は、内周面までの半径がＲの中空球体Ｓの一部を切り取って第２受光素子３１″を被うように碗状に形成されており、第２受光素子３１″は、第２バンドパスフィルタ５２の形状に係る中空球体Ｓの中心に配置されている。
【００４５】
この変形例の第２バンドパスフィルタ５２のバンドパス特性も、図４（ｂ）の曲線Ｌ２１に示すようになっている。そのため、図５（ｂ）に示すように、リモコン装置５の発信部７から発せられた赤外線（約９５０ｎｍの波長）が第２バンドパスフィルタ５２の湾曲面５２ａへ入射すると（図７（ｂ）に示す光Ｋ３０参照。なお、光Ｋ３０は第２受光素子３１″の中心線３１ａ″に一致）、法線方向の入射により第２バンドパスフィルタ５２のバンドパス特性は、図４（ｂ）の曲線Ｌ１２に応じた透過波長帯になり、発信部７からの赤外線は第２バンドパスフィルタ５２を透過して第２受光素子３１″で受光される。
【００４６】
一方、図５（ａ）に示すように、携帯電話機１の発信部３からの赤外線が、第２受光モジュールへ向けて発せられると、第２バンドパスフィルタ５２の湾曲面５２ａへ、入射箇所における接線に対して直交的な入射になり、第２バンドパスフィルタ５２のバンドパス特性により、発信部３から赤外線は遮られて、第２受光素子３１″がノイズ光の影響を受けることを防止できる。なお、第２バンドパスフィルタ５２は、中空球体の一部に応じた球面に形成する以外に、曲率が異なる湾曲面にすることも可能であり、また、第２受光素子３１″の位置も、第２バンドパスフィルタ５２の曲面に応じた曲率に合わせて適宜、配置箇所を変更することも可能である。
【図面の簡単な説明】
【００４７】
【図１】本発明の実施形態に係る受光ユニットを含むテレビジョン装置等を示す概略図である。
【図２】実施形態の受光ユニットの概略を示す平面図である。
【図３】（ａ）は、各バンドパスフィルタへの入射状況を示す概略図、（ｂ）は第１バンドパスフィルタのバンドパス特性を示すグラフ、（ｃ）は第２バンドパスフィルタのバンドパス特性を示すグラフである。
【図４】（ａ）は第２バンドパスフィルタの傾斜状態を示す概略図、（ｂ）は傾斜した状態の第２バンドパスフィルタのバンドパス特性を示すグラフである。
【図５】（ａ）は携帯電話機から発せられた赤外線の入射状況を示す概略図、（ｂ）はリモコン装置から発せられた赤外線の入射状況を示す概略図である。
【図６】（ａ）は変形例の第２バンドパスフィルタの外観を示す概略図、（ｂ）は赤外線の入射状況を示す概略断面図である。
【図７】（ａ）は別の変形例の第２バンドパスフィルタの外観を示す概略図、（ｂ）は赤外線の入射状況を示す概略断面図である。
【符号の説明】
【００４８】
１  携帯電話機
５  リモコン装置
１０  テレビジョン装置
１５  受光ユニット
２０  第１受光モジュール
２１  第１受光素子
２２  第１バンドパスフィルタ
３０  第２受光モジュール
３１  第２受光素子
３２  第２バンドパスフィルタ
【図１】
0005072503.tif 000002
【図２】
0005072503.tif 000003
【図３】
0005072503.tif 000004
【図４】
0005072503.tif 000005
【図５】
0005072503.tif 000006
【図６】
0005072503.tif 000007
【図７】
0005072503.tif 000008